(57)【要約】  第１の装置が、テレビ会議中に第１の装置および第２の装置のうちの少なくとも１つのビュー画像を変更することを可能にするための方法およびシステムが開示される。本方法は、第１の装置において、選択された対象画像のための操作命令を受信することであって、選択された対象画像が、第２の装置とのテレビ会議中に第１の装置の表示画面に表示された画像の一部分を含む、受信することと、操作命令と命令記憶とを比較することと、第１の装置および第２の装置のうちの少なくとも１つにおいて、操作命令に従って選択された対象画像のビューを変更し、操作され選択された対象画像を獲得することと、を含む。
2015532066.tif 000002
【特許請求の範囲】
【請求項１】
中にコンピュータ実行可能な命令が記憶された非一時的コンピュータ可読記憶媒体であり、前記コンピュータ実行可能な命令が、コンピュータによって実行されるとき、テレビ会議中に第１の装置が前記第１の装置および第２の装置のうちの少なくとも１つのビュー画像を変更することを可能にするための方法を前記コンピュータに実行させ、前記方法が、
第１の装置において、選択された対象画像のための操作命令を受信することであり、前記選択された対象画像が、第２の装置とのテレビ電話会議中に前記第１の装置の表示画面上に表示される画像の一部分を含む、受信することと、
前記操作命令と命令記憶とを比較することと、
前記第１の装置および前記第２の装置のうちの少なくとも１つにおいて、記憶された操作命令に対応する前記操作命令に従って前記選択された対象画像のビューを変更し、操作され選択された対象画像を獲得することと、を含む、非一時的コンピュータ可読記憶媒体。
【請求項２】
第１の装置において、選択された対象画像のための前記操作命令を前記受信することが、
前記選択された対象画像のためのズーム操作命令を受信することを含む、請求項１に記載の非一時的コンピュータ可読記憶媒体。
【請求項３】
前記選択された対象画像のためのズーム操作命令を前記受信することが、
前記選択された対象画像において複数のタッチを受信することを含み、前記複数のタッチが、所定の期間の間、実質的に類似の期間に発生する、請求項２に記載の非一時的コンピュータ可読記憶媒体。
【請求項４】
前記方法が、
前記複数のタッチを受信することをさらに含み、前記複数のタッチが、前記所定の期間の間、互いから実質的に反対方向に移動する、請求項３に記載の非一時的コンピュータ可読記憶媒体。
【請求項５】
第１の装置において、選択された対象画像のための前記操作命令を前記受信することが、
前記選択された対象画像のためのリフォーカス操作命令を受信することを含む、請求項１に記載の非一時的コンピュータ可読記憶媒体。
【請求項６】
前記選択された対象画像のためのリフォーカス操作命令を前記受信することが、
前記選択された対象画像において少なくとも１回のタッチを受信することを含む、請求項５に記載の非一時的コンピュータ可読記憶媒体。
【請求項７】
前記選択された対象画像において少なくとも１回のタッチを前記受信することが、
前記選択された対象画像において複数のタッチを受信することを含み、前記複数のタッチが所定の期間内に順次発生する、請求項６に記載の非一時的コンピュータ可読記憶媒体。
【請求項８】
第１の装置において、選択された対象画像のための前記操作命令を前記受信することが、
前記選択された対象画像のための超解像度フォーカス操作命令を受信することを含む、請求項１に記載の非一時的コンピュータ可読記憶媒体。
【請求項９】
前記選択された対象画像のための超解像度フォーカス操作命令を前記受信することが、
前記第１の装置および第２の装置のうちの前記少なくとも１つが、所定の期間の間、前記選択された対象画像に合焦しているという指示を受信することを含み、前記選択された対象画像が前記表示画面に表示される前記画像を含み、前記選択された対象画像が前記合焦中に静止したままである、請求項８に記載の非一時的コンピュータ可読記憶媒体。
【請求項１０】
第１の装置において、選択された対象画像のための前記操作命令を前記受信することが、
前記選択された対象画像のための映像フィルタリング命令を受信することを含む、請求項１に記載の非一時的コンピュータ可読記憶媒体。
【請求項１１】
前記第１の装置および前記第２の装置のうちの少なくとも１つにおいて、前記操作命令に従って前記選択された対象画像のビューを前記変更することが、
前記選択された対象画像の拡大ビューを生成することを含む、請求項１に記載の非一時的コンピュータ可読記憶媒体。
【請求項１２】
前記第１の装置および前記第２の装置のうちの少なくとも１つにおいて、前記操作命令に従って前記選択された対象画像のビューを前記変更することが、
前記選択された対象画像に再合焦し、前記選択された対象画像のより明確なビューを獲得することを含む、請求項１に記載の非一時的コンピュータ可読記憶媒体。
【請求項１３】
前記第１の装置および前記第２の装置のうちの少なくとも１つにおいて、前記操作命令に従って前記選択された対象画像のビューを前記変更することが、
前記選択された対象画像のより高い解像度の画像を生成することを含む、請求項１に記載の非一時的コンピュータ可読記憶媒体。
【請求項１４】
第１の装置が、テレビ電話会議中に前記第１の装置および第２の装置のうちの少なくとも１つのビュー画像を変更することを可能にするためのシステムであり、
コンピュータに連結された操作命令受信器であって、前記操作命令受信器が、第１の装置において、選択された対象画像のための操作命令を受信するように構成され、前記選択された対象画像が、第２の装置とのテレビ会議中に前記第１の装置の表示画面に表示される画像の一部分を含む、操作命令受信器と、
前記コンピュータに連結された操作命令コンペアラであって、前記操作命令と命令記憶とを比較するように構成される、操作命令コンペアラと、
前記コンピュータに連結された、選択された対象画像操作器であって、前記第１の装置および前記第２の装置のうちの少なくとも１つにおいて、前記操作命令に従って前記選択された対象画像のビューを変更し、操作され選択された対象画像を獲得するように構成される、対象画像操作器と、を備える、システム。
【請求項１５】
前記操作命令が、
ズーム操作命令を含む、請求項１４に記載のシステム。
【請求項１６】
前記ズーム操作命令が、
前記選択された対象画像において受信される複数のタッチを含み、前記複数のタッチが、実質的に類似の期間に受信される、請求項１５に記載のシステム。
【請求項１７】
前記操作命令が、
リフォーカス操作命令を含む、請求項１４に記載のシステム。
【請求項１８】
前記操作命令が、
超解像度フォーカス操作命令を含む、請求項１４に記載のシステム。
【請求項１９】
前記操作命令が、
映像フィルタリング命令を含む、請求項１４に記載のシステム。
【請求項２０】
前記システムが、
ズーム操作命令に応答して前記選択された対象画像の拡大画像を生成するように構成される、ズーム操作器をさらに備える、請求項１４に記載のシステム。
【請求項２１】
前記システムが、
リフォーカス操作命令に応答して、前記選択された対象画像のより明確な画像を生成するように構成される、リフォーカス操作器をさらに備える、請求項１４に記載のシステム。
【請求項２２】
前記システムが、
超解像度フォーカス操作命令に応答して前記選択された対象画像のより高い解像度の画像を生成するように構成される、より高い解像度の画像生成器をさらに備える、請求項１４に記載のシステム。
【発明の詳細な説明】
【技術分野】
【０００１】
［関連出願の参照］
本出願は、「ＣＡＭＥＲＡ  ＭＡＮＩＰＵＬＡＴＩＯＮ  ＤＵＲＩＮＧ  Ａ  ＶＩＤＥＯ  ＣＯＮＦＥＲＥＮＣＥ」と題された、２０１２年９月１４日に出願された米国特許出願第１３／６１８，７８９号の開示に関連し、それに対する優先権を主張するものであり、当該出願は、その全体が本明細書に参照により組みこまれる。
【背景技術】
【０００２】
テレビ会議の参加者は、音声／映像信号を互いに送信することによって、互いに通信する。例えば、参加者は、双方向の映像および音声の送信を介して同時に対話することができる。しかしながら、参加者は、マイクロフォンによってキャプチャされる音声、およびビデオカメラによってキャプチャされる映像信号のみに基づいて、彼らが互いに通信を行おうとしていることを完全に表現することができない場合がある。
【発明の概要】
【０００３】
第１の装置が、テレビ会議中に、第１の装置および第２の装置のうちの少なくとも１つのビュー画像を変更することを可能にするための方法およびシステムが開示される。本方法は、第１の装置において、選択された対象画像のための操作命令を受信することであり、選択された対象画像が、第２の装置とのテレビ会議中に、第１の装置の表示画面に表示された画像の一部分を含む、受信することと、操作命令と命令記憶とを比較することと、第１の装置および第２の装置のうちの少なくとも１つにおいて、操作命令に従って選択された対象画像のビューを変更し、操作され選択された対象画像を獲得することと、を含む。
【図面の簡単な説明】
【０００４】
【図１】一実施形態による装置の例を図示する。
【図２Ａ】一実施形態による装置の例を図示する。
【図２Ｂ】一実施形態による装置の例を図示する。
【図３】一実施形態による装置の例を図示する。
【０００５】
【図４】一実施形態によって画像を拡大することの一例を図示する。
【０００６】
【図５】一実施形態によって画像に再合焦することの一例を図示する。
【０００７】
【図６】一実施形態によってフレーム解像度を増大することの一例を図示する。
【０００８】
【図７Ａ】一実施形態によって、第１の装置が、テレビ会議中に、第１の装置および第２の装置のうちの少なくとも１つのビュー画像を変更することを可能にするための方法のフローチャートである。
【図７Ｂ】一実施形態によって、第１の装置が、テレビ会議中に第１の装置および第２の装置のうちの少なくとも１つのビュー画像を変更することを可能にするための方法のフローチャートである。
【０００９】
本記述で参照する図面は、特記される場合を除き、一定の縮尺で描かれていないと理解されたい。
【発明を実施するための形態】
【００１０】
次に添付の図面に図示されている様々な実施形態、実施例について、詳細に言及される。主題はこれらの実施形態と併せて記述されるが、それらは、これらの実施形態に主題を限定することを意図しないことが理解されるであろう。反対に、本明細書に記載する主題は、趣旨および範囲内に含まれ得る代替物、修正形、および同等物を包含することを意図している。さらに、以下の記述において、多数の特定の詳細が主題の完全な理解を提供するために用意されている。しかしながら、いくつかの実施形態は、これらの特定の詳細なしに実施され得る。他の例では、周知の構造および構成要素は、主題の態様を不必要に曖昧にしないように、詳細に記述されていない。
【００１１】
以下に記述するように、実施形態は、双方向のテレビ会議の参加者が特別なオブジェクトを見せるために、または特別なオブジェクトを見るために、ローカルカメラおよび／または相手のカメラを操作することを可能にする。操作は次を含むが、これらに限定されない：（カメラによってキャプチャされた画像を表示する）表示画面の選択された領域を拡大すること、表示画面の選択された領域（全体の表示画面または表示画面の全体より小さい一部分のうちのいずれか）に合焦すること。
【００１２】
［説明の概要］
添付の図面に示されている本技術の実施形態、実施例について、次に詳細に言及される。本技術は、様々な実施形態（複数可）と併せて記述されるが、それらは、これらの実施形態に本技術を限定することを意図されないことが理解されるであろう。反対に、本技術は、添付の特許請求の範囲によって定義される様々な実施形態の趣旨および範囲内に含まれ得る代替物、修正形、および同等物を包含することを意図される。
【００１３】
さらに、実施形態の次の記述において、多数の特定の詳細が本技術の完全な理解を提供するために述べられている。しかしながら、本技術は、これらの特定の詳細なしに実施され得る。他の例において、周知の方法、手順、構成要素、および回路は、本発明の実施形態の態様を不必要に曖昧にしないように、詳細に記述されていない。
【００１４】
図１は、装置１００の実施形態を示す。装置１００は、テレビ会議に参加するために構成される。図２Ａおよび図２Ｂは、テレビ会議に参加する装置１００および装置２００を示す。一般に、テレビ会議は、２箇所以上の位置で、多方向の映像および音声の送信を介して同時に対話することを可能にする。
【００１５】
以下の説明は、最初に、装置１００の構成要素を説明するであろう。この説明は、次いで、装置１００と装置２００との間のテレビ会議中の装置１００の構成要素の機能性を記述する。装置１００および装置２００は、テレビ会議に参加することが可能である任意の通信装置（例えば、ラップトップ、デスクトップ、スマートフォン、タブレット、テレビなど）である。様々な実施形態において、装置１００は、スマートフォン、携帯情報端末（ＰＤＡ）、および同種のものなどのハンドヘルド型モバイル装置である。
【００１６】
さらに、明確かつ簡潔にするために、説明は装置１００の構成要素および機能性に着目する。しかしながら、装置２００は、装置１００と類似の方法で動作する。一実施形態において、装置２００は装置１００と同じものであり、装置１００と同じ構成要素を含む。
【００１７】
一実施形態において、装置１００はシステム１０２と連結される。システム１０２は、実施形態に従って、操作命令受信器１１５、操作命令コンペアラ１２０、および選択された対象画像操作器１３０を含む。装置１００および／またはシステム１０２は、様々な実施形態において、次の構成要素とさらに連結される：表示画面１１０、送信器１４０、ビデオカメラ１５０、マイクロフォン１５２、スピーカー１５４、命令記憶１２５、および全地球測位システム１６０。
【００１８】
表示画面１１０は、装置２００でキャプチャされた映像を表示するように構成される。別の実施形態において、表示画面１１０は、装置１００でキャプチャされた映像を表示するようにさらに構成される。
【００１９】
送信器１４０は、データ（例えば、制御コード）を送信するためのものである。
【００２０】
ビデオカメラ１５０は、装置１００において映像をキャプチャする。マイクロフォン１５２は、装置１００において音声をキャプチャする。スピーカー１５４は、装置１００において可聴信号を生成する。
【００２１】
全地球測位システム１６０は、装置１００の位置を判定する。
【００２２】
次に図２Ａおよび図２Ｂを参照すると、装置１００および装置２００は、一実施形態によると、互いにテレビ会議に参加している。様々な実施形態において、２つ以上の装置が、テレビ会議に互いに参加する。
【００２３】
テレビ会議中、ビデオカメラ２５０は、装置２００において映像をキャプチャする。例えば、ビデオカメラ２５０は、装置２００のユーザ２０５の映像をキャプチャする。
【００２４】
ビデオカメラ１５０は、装置１００において映像をキャプチャする。例えば、ビデオカメラ１５０は、ユーザ１０５の映像をキャプチャする。ビデオカメラ１５０およびビデオカメラ２５０は、カメラ１５０およびカメラ２５０のそれぞれの視認範囲内にあるあらゆるオブジェクトをキャプチャすることができることが認識されたい。（図２Ｂの参照による以下の説明を参照されたい。）
【００２５】
マイクロフォン１５２は、装置１００においてキャプチャされた映像信号に対応する音声信号をキャプチャする。同様に、装置２００のマイクロフォンは、装置２００においてキャプチャされた映像信号に対応する音声信号をキャプチャする。
【００２６】
一実施形態において、装置２００においてキャプチャされた映像が、装置１００の表示画面１１０に送信され、表示される。例えば、ユーザ２０５の映像は、表示画面１１０の第１のビュー１１２に表示される。さらに、ユーザ２０５の映像は、表示画面２１０の第２のビュー２１４に表示される。
【００２７】
装置１００においてキャプチャされた映像が、装置２００の表示画面２１０に送信され、表示される。例えば、ユーザ１０５の映像は、表示画面２１０の第１のビュー２１２に表示される。さらに、ユーザ１０５の映像は、表示画面１１０の第２のビュー１１４に表示される。
【００２８】
一実施形態において、装置１００および装置２００においてキャプチャされた音声信号は、キャプチャされた映像内に組み込まれる。別の実施形態において、音声信号は、送信された映像から分離されて送信される。
【００２９】
図示されるように、第１のビュー１１２は、表示画面１１０に表示された一次ビューであり、第２のビュー１１４は、表示画面１１０に表示されたより小さい二次ビューである。様々な実施形態において、第１のビュー１１２および第２のビュー１１４の両方のサイズは、調節可能である。例えば、第２のビュー１１４を、一次ビューとなるように拡大することができ、第１のビュー１１２を、二次ビュー（第２のビュー１１４）となるようにサイズを縮小することができる。さらに、ビュー（第１のビュー１１２および第２のビュー１１４）のうちのどちらか１つを、それが視認できないように、閉じるか、または十分に縮小することができる。
【００３０】
次に図２Ｂを参照すると、装置２００のユーザ２０５は、ビデオカメラ２５０の視認範囲内にある（自分自身２０５の画像をキャプチャする代わりに）橋２６０の画像をキャプチャしている。その橋の画像は、装置２００の第２のビュー２１４、および装置１００の第１のビュー１１２において示される。表示されるように、ユーザ１０５は、第２のビュー２１４（橋）および第１のビュー１１２に表示された画像が、その元の描写から変更される（例えば、拡大される、再合焦される、より高い解像度で提供される）ように、実施形態に従って、装置２００のビデオカメラ２５０を操作することができる。
【００３１】
図１を再び参照すると、操作命令受信器１１５は、選択された対象画像のための操作命令１１３を、第１の装置（例えば、装置１００）において受信し、選択された対象画像は、第２の装置（例えば、以下で説明される装置２００）とのテレビ電話会議中に、第１の装置の表示画面１１０上に表示された画像の一部分を含む。一実施形態において、装置１００は、第１の装置であり、装置２００は、第２の装置であることを認識されたい。しかしながら、別の実施形態において、装置１００が、第２の装置であり、装置２００が、第１の装置である。操作されるべき対象画像として選択された画像の部分が、表示画面１１０上に表示された画像の全体より小さい一部分（または全体）であり得ることもまた認識されたい。選択された対象画像の群は、第１の装置のユーザ、または第１の装置と通信することが可能な（第１の装置とは異なる）第２の装置のユーザによって、第１の装置と通信される。
【００３２】
操作命令コンペアラ１２０は、操作命令１１３と命令記憶１２５とを比較する。命令記憶１２５は、１組の（例えば、１つ以上の）記憶された操作命令を含む。
【００３３】
操作命令コンペアラ１２０が、操作命令１１３が１組の記憶された操作命令の記憶された操作命令に対応すると判定するとき、選択された対象画像操作器１３０は、操作命令１１３に従い、第１の装置および／または第２の装置において、選択された対象画像のビューを変更し、それによって、操作され選択された対象画像１３５を獲得する。「対応する“ｃｏｒｒｅｓｐｏｎｄ”」という用語は、実施形態の文脈において、記憶された操作命令と一致する操作命令１１３を指し、それによって、第１の装置および／または第２の装置のうちのいずれかに与えられる意図された命令が、操作されるべき対象画像を選択するように意図されることを確認し、（以下に説明されるであろう）意図された操作の仕方を確認する。
【００３４】
次に図３を参照すると、システム１０２の操作命令１１３は、次の命令のタイプを含んでも良い：ズーム操作命令３０５、リフォーカス操作命令３２０、超解像度フォーカス操作命令３３５、および映像フィルタリング操作命令３６５。一実施形態において、ズーム操作命令３０５は、選択された対象画像において受信される複数のタッチ３１０を含み、この複数のタッチは、実質的に類似の期間に受信される。次に図４を参照すると、装置１００のユーザによって与えられるズーム操作命令３０５の例が、一実施形態に応じて示される。
【００３５】
次に図１〜４を参照すると、図４は、ユーザ１０５によって操作される装置１００を示す。装置１００の表示画面上の、第１のビュー１１２中に、丸太の上にじっとしている亀４１５Ａの画像がある。（第１のビュー１１２における亀４１５Ａの画像を参照すると、ユーザ２０５によって動作される第２の装置２００の第１のビュー２１２に現れるものと同じ画像がある。）一実施形態において、ユーザ１０５は、亀４１５をズームインすることを望み、それによって、亀４１５Ａの画像を拡大する。一実施形態において、ユーザ１０５は、実質的に類似の期間に、亀４１５Ａの画像の近くまたはその上にある表示画面１１０を、（亀４１５Ａの画像の近くまたはその上の表示画面１１０をタッチする手４２０の親指及び人差し指を示す）複数の入力４０５（例えば、指、尖筆など）でタッチし、この入力が、（事前にプログラムされた長さの時間に従って）同じ長さの時間または同じ長さに近い時間、表示画面１１０に留まるようにする。一実施形態において、ユーザ１０５は、次いで、入力による移動を意味する矢印４１０Ａおよび４１０Ｂによって示されるように、ユーザの入力４０５（親指および人差し指）を外側に、互いから実質的に反対方向に移動させる。
【００３６】
操作命令コンペアラ１２０は、次いで、ズーム操作命令３０５と命令記憶１２５とを比較する。ズーム操作命令３０５が、命令記憶１２５内に記憶された（および、装置１００内に事前にプログラムされた）操作命令１１３に対応する場合、ズーム操作命令３０５を使用し、選択された対象画像操作器１３０を介して選択された対象画像を拡大する。
【００３７】
選択された対象画像操作器１３０は、ズーム操作器３４５、リフォーカス操作器３５０、およびより高い解像度の画像生成器３５５を含んでも良い。
【００３８】
ズーム操作器３４５は、第１の装置および第２の装置のうちの少なくとも１つ（それぞれ、装置１００および装置２００など）において、操作命令１１３に従って選択された対象画像のビューを変更し、操作され選択された対象画像１３５を獲得する。例えば、表示画面１１０への複数のタッチ３１０と、互いから反対方向３１５に外側へ向かう移動４１０Ａおよび４１０Ｂとの組み合わせは、入力４０５によって与えられた外側へ向かう移動の量に比例して、ズーム操作器３４５を介して亀４２５Ａの画像を拡大するように機能し、拡大された亀の画像４１５Ｂを獲得する。（例えば、少しの外側へ向かう移動は、亀４１５Ａを少し拡大するが、大幅な外側へ向かう移動は、亀４１５Ａを大幅に拡大するであろう。）図４に見ることができるように、選択された対象画像操作器１３０は、ズーム操作命令３０５に応答して、亀４１５Ｂの拡大画像を生成する。
【００３９】
別の実施形態において、ユーザ１０５は、一実施形態において、実質的に類似の期間に、亀４１５Ａの画像の近くまたはその上の表示画面１１０を、複数の入力（例えば、指、尖筆など）でタッチし、この入力が、（事前にプログラムされた時間の長さに応じて）同じ長さの時間または同じ長さに近い時間、表示画面に留まるようにする。ユーザ１０５は、次いで、ユーザの入力４０５（親指および人差し指）を内側に、互いに向かって実質的に反対方向に移動させる（図示されず）。操作命令コンペアラ１２０は、亀４１５Ａの画像を縮小するための操作命令３０５が命令記憶１２５内に認められる事前にプログラムされた操作命令に対応すると判定した場合、表示画面１１０への複数のタッチと互いに反対方向に内側へ向かう移動とのこの組み合わせは、入力によって与えられた内側へ向かう移動の量に比例して、選択された対象画像操作器１３０を介して亀４１５の画像を縮小する。
【００４０】
本明細書において述べられるように、一実施形態において、操作命令１１３は、リフォーカス操作命令３２０を含んでも良い。リフォーカス操作命令は、装置に、選択された対象画像のより明確な画像を提供するように命令する。一実施形態において、リフォーカス操作命令３２０は、選択された対象画像の少なくとも１回のタッチ３２５を含んでも良い。一実施形態において、少なくとも１回のタッチ３２５は、選択された対象画像で実施された複数のタッチ３３０を任意に含み、複数のタッチ３３０が所定の期間内に順次発生する。例えば、ユーザは、１／２秒の期間内で順次、表示画面１１０を２回タップ（複数のタッチ３３０）し得る（装置１０は、操作命令コンペアラ１２０によって判定されるとき、１／２秒内に発生する２回の順次のタッチがリフォーカス操作命令３２０を意味すると解釈するように事前にプログラムされる）。
【００４１】
次に図５を参照すると、装置１００のユーザ１０５によって与えられるリフォーカス操作命令３２０の一例が、一実施形態に従って示される。図５は、カメラ１５０、第１のビュー１１２、および第２のビュー１１４を有する装置を示す。装置１００の表示画面１１０上の第１のビュー１１２は、斜めの網掛け線で表されるぼけ画像５０５を示す。ユーザ１０５は、ユーザの入力（例えば、ユーザの手５１５の人差し指５２０）を用いて、（ユーザ１０５が、より明確な［例えば、表示画面１１０に現れるぼけ画像より明確な］画像を表示するために、再合焦して、明確にすることを意図するエリアを意味する）四角で囲んだエリア５１０と共に現れる丸太上の亀のぼけ画像上の中央にある位置５２５をタップする。図５において、ユーザ１０５は、表示画面１１０を一度タッチする。操作命令コンペアラ１２０は、リフォーカス操作命令３２０と命令記憶１２５内に記憶された操作命令（複数可）とを比較する。リフォーカス操作命令３２０が、命令記憶１２５内の操作命令１１３に対応することが認められる場合、リフォーカス操作器３５０は、第１の装置および第２の装置のうちの少なくとも１つ（例えば、それぞれ装置１００および装置２００）において、リフォーカス操作命令３２０に従って選択された対象画像のビューを変更し、操作され選択された対象画像１３５を獲得する。
【００４２】
一実施形態において、操作命令１１３は、超解像度フォーカス操作命令３２０を含んでも良い。超解像度フォーカス操作命令３２０は、表示画面１１０上に表示された全ての画像についてより明確な画像（より高い解像度）を提供するように、装置に命令する。一実施形態において、超解像度フォーカス操作命令３３５は、第１の装置および第２の装置のうちの少なくとも１つが、所定の期間の間、選択された対象画像に合焦しているという指示３４０を含んでも良く、その選択された対象画像は表示画面１１０上に表示された画像（すなわち、表示画面１１０上に表示された全ての画像）を含み、その選択された対象画像は合焦中静止したままである。例えば、超解像度操作命令３３５として装置１００によって認識される期間の間、カメラ１５０が静止場面を含む部位に合焦されるように、ユーザ１０５は装置１００を保持してもよい。
【００４３】
一実施形態において、操作命令１１３は、映像フィルタリング操作命令３６５を含んでも良い。映像フィルタリング操作命令３６５は、選択された対象画像の全体的なビューが古い動画効果、露出過度効果、色飽和効果などを提供するように、選択された対象画像の映像をフィルタリングするように装置に命令する。
【００４４】
次に図６を参照すると、装置１００のユーザ１０５によって与えられる超解像度操作命令３３５の一例が、一実施形態に従って示されている。図６は、カメラ１５０、第１のビュー１１２、および第２のビュー１１４を有する装置を示す。装置１００の表示画面１１０上の第１のビュー１１２は、斜線で表されるぼけ画像６０５を示す。ユーザ１０５は、カメラ１５０が所定の期間（操作命令コンペアラ１２０によって判定されるとき、装置１００が超解像度操作命令３３５を意味すると認識する、事前にプログラムされた期間）の間、静止した同じ画像に合焦するように、装置１００を保持する。
【００４５】
操作命令コンペアラ１２０は、超解像度フォーカス操作命令３３５と命令記憶１２５に記憶された操作命令（複数可）とを比較する。超解像度フォーカス操作命令３３５が、命令記憶１２５内の操作命令１１３に対応することが認められる場合、より高い解像度の画像生成器３５５は、超解像度フォーカス操作命令３３５に応答して、選択された対象画像のより高い解像度の画像を生成し、操作され選択された対象画像１３５を獲得する。
【００４６】
ズーム操作命令３０５、リフォーカス操作命令３２０、および超解像度操作命令３３５などの操作命令１１３が本明細書において記述されるが、実施形態は、本明細書で説明されるものと異なる操作命令３３５を含むことを認識されたい。以下は、異なる選択された対象画像操作器を有する異なる操作命令を含む様々な実施形態の説明である（既に本明細書で考察された実施形態も含む）：表示画面１１０上で複数の点をタッチしてスライドさせ、ローカルカメラ（例えば、装置１００）でズームする；表示画面１１０上の複数の点をタッチしてスライドさせ、相手のカメラ（例えば、装置２００）でズームする；ローカル表示画面１１０のローカルビュー上でダブルタップして、ローカルカメラでズームし、次いで、表示画面１１０上を再度ダブルタップして、表示画面１１０に現れる元の画像を復元する；ローカル表示画面１１０の相手のビュー上でダブルタップして、相手のカメラでズームにして、次いで、表示画面１１０上の相手のビュー上で再度ダブルタップして、その表示画面１１０に現れる相手のビューの元の画像を復元する；表示画面１１０上の単一点をタッチして、タッチされた点において相手のカメラを再合焦する（本明細書に記述された実施形態と、カメラ合焦点変更技術と、関心領域コーディング技術との組み合わせによって可能になる［映像ストリームが、関心領域においてより多くのビットを割り当てることを許容する］）；表示画面１１０上の単一の点をタッチして、タッチされた点においてローカルカメラを再合焦する（本明細書に記述された実施形態と、カメラ合焦点変更技術と、関心領域コーディング技術との組み合わせによって可能になる）；静止場面で安定的に装置（例えば、第１の装置）を保持し、相手に画像の高解像度写真を送る；装置上のボタンを押して、相手の高解像度写真を撮る；装置上のボタンを押して、ローカルの人物（例えば、装置１００のユーザ１０５）の高解像度写真を相手に送る；（帯域幅の変更がないとき、フレームレートは解像度と交換され得るように）ローカルビューを押し続け、低フレームレートだが高解像度の映像を相手に送る（任意のユーザに明示的な方法によって引き起こされ得る）；（帯域幅の変更がないとき、フレームレートは解像度と交換され得るように）相手のビューを押し続け、相手のビューの低フレームレートだが高解像度の映像を受信する（任意のユーザに明示的な方法によって引き起こされ得る）。
【００４７】
図７Ａおよび図７Ｂはそれぞれ、第１の装置が、実施形態に従ってテレビ会議中に第１の装置および第２の装置のうちの少なくとも１つのビュー画像を変更することを可能にするための方法７００のフローチャートを示す。様々な実施形態において、方法７００は、コンピュータ可読命令およびコンピュータ実行可能な命令の制御の下で、プロセッサおよび電気的構成要素によって実行される。コンピュータ可読命令およびコンピュータ実行可能な命令は、例えば、コンピュータで使用可能な揮発性メモリおよび不揮発性メモリなどのデータ記憶媒体内に存在する。しかしながら、コンピュータ可読命令およびコンピュータ実行可能な命令は、あらゆるタイプのコンピュータ可読記憶媒体内に存在してもよい。いくつかの実施形態において、方法７００は、図１、図２Ａ、および図２Ｂに説明されるように装置１００および／または装置２００によって実施される。
【００４８】
次に図１〜図７Ｂを参照すると、方法７００の７０５で、一実施形態において、本明細書に記述されるように、操作命令１１３は、選択された対象画像のために第１の装置（例えば、装置１００）で受信され、選択された対象画像は、第２の装置（例えば、装置２００）とのテレビ会議中に、第１の装置の表示画面１１０に表示された画像の一部分を含む。
【００４９】
ステップ７０５の７１０で、一実施形態において、および本明細書で説明されるように、選択された対象画像のためのズーム操作命令３０５が受信される。ステップ７１０の７１５で、一実施形態において、および本明細書に記述されるように、選択された対象画像において複数のタッチが受信され、その複数のタッチは、所定の期間の間、実質的に類似の期間に生じる。ステップ７１０の７２０で、一実施形態において、および本明細書に記述されるように、複数のタッチが受信され、その複数のタッチは所定の期間の間、互いから実質的に反対方向に移動する。
【００５０】
ステップ７０５の７２５で、一実施形態において、および本明細書で説明されるように、選択された対象画像のためのリフォーカス操作命令３２０が受信される。ステップ７２５の７３０で、一実施形態において、および本明細書で説明されるように、選択された対象画像において少なくとも１回のタッチが受信される。ステップ７３０の７３５で、一実施形態において、および本明細書で説明されるように、選択された対象画像において複数のタッチが受信され、その複数のタッチは所定の期間内に順次生じる。
【００５１】
７４０またはステップ７０５で、一実施形態において、および本明細書で説明されるように、選択された対象画像のための超解像度フォーカス操作命令３３５が受信される。ステップ７４０の７４５で、一実施形態において、および本明細書で説明されるように、第１の装置および第２の装置のうちの少なくとも１つが、所定の期間の間、選択された対象画像に合焦しているという指示３４０が受信され、その選択された対象画像は表示画面１１０上に表示された画像を含み、その選択された対象画像は合焦している間静止したままである。７７５で、一実施形態において、および本明細書に記述されるように、映像フィルタリング命令３６５が受信される。
【００５２】
７５０で、一実施形態において、および本明細書で説明されるように、操作命令１１３は、命令記憶１２５と比較される。
【００５３】
７５５で、一実施形態において、および本明細書で説明されるように、第１の装置および第２の装置のうちの少なくとも１つにおいて、選択された対象画像のビューが、（命令記憶１２５内の）記憶された操作命令に対応する操作命令１１３に従って変更され、操作され選択された対象画像１３５を獲得する。ステップ７５５の７６０で、一実施形態において、および本明細書で説明されるように、選択された対象画像を拡大し、選択された対象画像の拡大ビューを獲得する。ステップ７５５の７６５で、一実施形態において、および本明細書で説明されるように、選択された対象画像に再合焦し、選択された対象画像のより明確なビューを獲得する。ステップ７５５の７７０で、一実施形態において、および本明細書で説明されるように、選択された対象画像のより高い解像度の画像が生成される。
【００５４】
したがって、一実施形態は、別の携帯電話を使用している相手とのテレビ会議中の携帯電話のユーザが、画像の一部分を拡大するためにおよび／または画像の一部分をより明確にするために、相手の携帯電話のカメラビューを容易に変更することを可能にする。本明細書で説明されるように、実施形態は、装置２００のビデオカメラ２５０のビューを操作するユーザ１０５の文脈で記述されてきたが、一方で、ユーザ１０５はまた、ユーザ自身のカメラ１５０、そして、それゆえに画像のビューを操作してもよく、ユーザ２０５は、装置１００のカメラ１５０、ならびにユーザ自身のビデオカメラ２５０を操作してもよいことを認識されたい。
【００５５】
本技術の原理、態様、および実施形態、ならびに具体例を詳述する本明細書の全ての記述は、それらの構造的同等物および機能的同等物の両方を包含することが意図される。加えて、このような同等物は、現在知られている同等物および将来的に開発される同等物、すなわち、構造に関わらず同じ機能を実施する、開発されるあらゆる要素の両方を含むことが意図されている。本技術の範囲は、したがって、本明細書に示され、説明された実施形態に限定されることを意図しない。むしろ、本技術の範囲および趣旨は、添付の特許請求の範囲によって具体化される。
【００５６】
この説明で述べられた本方法のステップが、プロセッサ、少なくともキーボード、マウス、スキャナ、カメラを含む入力装置、少なくともモニタ、プリンタを含む出力装置を含むが、それらに限定されないハードウェアによって実行され得ることを当業者は理解するであろう。本方法のステップは、必要なときに適切な装置を用いて実行されるものである。例えば、決定ステップは、決定アルゴリズムを実装することによって、プロセッサ内の意思決定ユニットによって実行することができた。この意思決定ユニットが、前述の決定アルゴリズムを実行するとき、例えば、コンピュータのプロセッサ内で、物理的または効果的に存在し得ることを当業者は理解するであろう。以上の分析は、本明細書に記述される他のステップに適用されるものである。
【００５７】
本明細書中に記述される全ての要素、部分、およびステップが、好ましい形で含まれる。これらの要素、部分、およびステップのうちのいずれかは、当業者には明らかであろうように、他の要素、部分、およびステップによって置き換えられ得るか、または完全に削除され得ることを理解されたい。
［概念］
この文書は、少なくとも次の概念を開示する。
概念１．中にコンピュータ実行可能な命令が記憶された非一時的コンピュータ可読記憶媒体であり、コンピュータ実行可能な命令が、コンピュータによって実行されるとき、テレビ会議中に第１の装置が前記第１の装置および第２の装置のうちの少なくとも１つのビュー画像を変更することを可能にするための方法を前記コンピュータに実行させ、前記方法が、
第１の装置において、選択された対象画像のための操作命令を受信することであり、前記選択された対象画像が、第２の装置とのテレビ電話会議中に第１の装置の表示画面上に表示される画像の一部分を含む、受信することと、
前記操作命令と命令記憶とを比較することと、
前記第１の装置および前記第２の装置のうちの少なくとも１つにおいて、記憶された操作命令に対応する前記操作命令に従って前記選択された対象画像のビューを変更し、操作され選択された対象画像を獲得することと、を含む、非一時的コンピュータ可読記憶媒体。
概念２．第１の装置において、選択された対象画像のための前記操作命令を前記受信することが、
前記選択された対象画像のためのズーム操作命令を受信することを含む、概念１に記載の非一時的コンピュータ可読記憶媒体。
概念３．前記選択された対象画像のためのズーム操作命令を前記受信することが、
前記選択された対象画像において複数のタッチを受信することを含み、前記複数のタッチが、所定の期間の間、実質的に類似の期間に発生する、概念２に記載の非一時的コンピュータ可読記憶媒体。
概念４．前記方法が、
前記複数のタッチを受信することをさらに含み、前記複数のタッチが、前記所定の期間の間、互いから実質的に反対方向に移動する、概念３に記載の非一時的コンピュータ可読記憶媒体。
概念５．第１の装置において、選択された対象画像のための前記操作命令を前記受信することが、
前記選択された対象画像のためのリフォーカス操作命令を受信することを含む、概念１に記載の非一時的コンピュータ可読記憶媒体。
概念６．前記選択された対象画像のためのリフォーカス操作命令を前記受信することが、
前記選択された対象画像において少なくとも１回のタッチを受信することを含む、概念５に記載の非一時的コンピュータ可読記憶媒体。
概念７．前記選択された対象画像において少なくとも１回のタッチを前記受信することが、
前記選択された対象画像において複数のタッチを受信することを含み、前記複数のタッチが所定の期間内に順次発生する、概念６に記載の非一時的コンピュータ可読記憶媒体。
概念８．第１の装置において、選択された対象画像のための前記操作命令を前記受信することが、
前記選択された対象画像のための超解像度フォーカス操作命令を受信することを含む、概念１に記載の非一時的コンピュータ可読記憶媒体。
概念９．前記選択された対象画像のための超解像度フォーカス操作命令を前記受信することが、
前記第１の装置および第２の装置のうちの前記少なくとも１つが、所定の期間の間、前記選択された対象画像に合焦しているという指示を受信することを含み、前記選択された対象画像が前記表示画面に表示される前記画像を含み、前記選択された対象画像が前記合焦中に静止したままである、概念８に記載の非一時的コンピュータ可読記憶媒体。
概念１０．第１の装置において、選択された対象画像のための前記操作命令を前記受信することが、
前記選択された対象画像のための映像フィルタリング命令を受信することを含む、概念１に記載の非一時的コンピュータ可読記憶媒体。
概念１１．前記第１の装置および前記第２の装置のうちの少なくとも１つにおいて、前記操作命令に従って前記選択された対象画像のビューを前記変更することが、
前記選択された対象画像の拡大ビューを生成することを含む、概念１および２のいずれかに記載の非一時的コンピュータ可読記憶媒体。
概念１２．前記第１の装置および前記第２の装置のうちの少なくとも１つにおいて、前記操作命令に従って前記選択された対象画像のビューを前記変更することが、
前記選択された対象画像に再合焦し、前記選択された対象画像のより明確なビューを獲得することを含む、概念１および５のいずれかに記載の非一時的コンピュータ可読記憶媒体。
概念１３．前記第１の装置および前記第２の装置のうちの少なくとも１つにおいて、前記操作命令に従って前記選択された対象画像のビューを前記変更することが、
前記選択された対象画像のより高い解像度の画像を生成することを含む、概念１および８のいずれかに記載の非一時的コンピュータ可読記憶媒体。
概念１４．第１の装置が、テレビ電話会議中に前記第１の装置および第２の装置のうちの少なくとも１つのビュー画像を変更することを可能にするためのシステムであり、
コンピュータに連結された操作命令受信器であって、前記操作命令受信器が、第１の装置において、選択された対象画像のための操作命令を受信するように構成され、前記選択された対象画像が、第２の装置とのテレビ会議中に前記第１の装置の表示画面に表示される画像の一部分を含む、操作命令受信器と、
前記コンピュータに連結された操作命令コンペアラであって、前記操作命令と命令記憶とを比較するように構成される、操作命令コンペアラと、
前記コンピュータに連結された、選択された対象画像操作器であって、前記第１の装置および前記第２の装置のうちの少なくとも１つにおいて、前記操作命令に従って前記選択された対象画像のビューを変更し、操作され選択された対象画像を獲得するように構成される、対象画像操作器と、を備える、システム。
概念１５．前記操作命令が、
ズーム操作命令を含む、概念１４に記載のシステム。
概念１６．前記ズーム操作命令が、
前記選択された対象画像において受信される複数のタッチを含み、前記複数のタッチが、実質的に類似の期間に受信される、概念１５に記載のシステム。
概念１７．前記操作命令が、
リフォーカス操作命令を含む、概念１４に記載のシステム。
概念１８．前記操作命令が、
超解像度フォーカス操作命令を含む、概念１４に記載のシステム。
概念１９．前記操作命令が、
映像フィルタリング命令を含む、概念１４に記載のシステム。
概念２０．前記システムが、
ズーム操作命令に応答して前記選択された対象画像の拡大画像を生成するように構成される、ズーム操作器をさらに備える、概念１４、１５、および１６のいずれか１つに記載のシステム。
概念２１．前記システムが、
リフォーカス操作命令に応答して、前記選択された対象画像のより明確な画像を生成するように構成される、リフォーカス操作器をさらに備える、概念１４および１７のいずれか１つに記載のシステム。
概念２２．前記システムが、
超解像度フォーカス操作命令に応答して前記選択された対象画像のより高い解像度の画像を生成するように構成される、より高い解像度の画像生成器をさらに備える、概念１４および１８のいずれか１つに記載のシステム。
【図１】
2015532066.tif 000003
【図２Ａ】
2015532066.tif 000004
【図２Ｂ】
2015532066.tif 000005
【図３】
2015532066.tif 000006
【図４】
2015532066.tif 000007
【図５】
2015532066.tif 000008
【図６】
2015532066.tif 000009
【図７Ａ】
2015532066.tif 000010
【図７Ｂ】
2015532066.tif 000011
【国際調査報告】
2015532066.tif 000012
2015532066.tif 000013